(57)【要約】【課題】  通常の画像形成処理を行う通常処理状態から、画像形成処理を制限する制限処理を行う制限処理状態に変更するために実行される待機処理の頻度を軽減させる。【解決手段】  画像情報をシート状記録媒体に記録する画像形成手段４２と、画像形成手段による記録処理を実行する処理手段２０６とを有し、交流電源９０からの電力供給によって稼働する画像形成装置１であって、検出された交流電源の瞬断に基づいて、交流電源の電源状態が、安定状態、不安定状態、又は安定状態と不安定状態の中間状態である準安定状態のいずれかと判定する判定手段６０を有し、処理手段は、判定手段が安定状態又は準安定状態のいずれかと判定している場合に記録処理を実行し、判定手段が不安定状態と判定している場合に記録処理を制限する処理を実行することを特徴とする。【選択図】  図１
2013160866.tif 000002
【特許請求の範囲】
【請求項１】
画像情報をシート状記録媒体に記録する画像形成手段と、前記画像形成手段による記録処理を実行する処理手段とを有し、交流電源からの電力供給によって稼働する画像形成装置であって、
検出された前記交流電源の瞬断に基づいて、前記交流電源の電源状態が、安定状態、不安定状態、又は前記安定状態と前記不安定状態の中間状態である準安定状態のいずれかと判定する判定手段を有し、
前記処理手段は、前記判定手段が前記安定状態又は前記準安定状態のいずれかと判定している場合に前記記録処理を実行し、前記判定手段が前記不安定状態と判定している場合に前記記録処理を制限する処理を実行することを特徴とする画像形成装置。
【請求項２】
前記判定手段は、第１計測時間内に検出される瞬断回数に基づいて、前記安定状態、前記準安定状態、又は前記不安定状態のいずれかと判定することを特徴とする請求項１に記載の画像形成装置。
【請求項３】
前記判定手段は、前記瞬断回数が第１判定回数未満である場合に前記安定状態と判定し、前記瞬断回数が前記第１判定回数以上かつ第２判定回数未満である場合に前記準安定状態と判定し、前記瞬断回数が前記第２判定回数以上である場合に前記不安定状態と判定することを特徴とする請求項２に記載の画像形成装置。
【請求項４】
前記第１判定回数、及び前記第２判定回数を規定する判定テーブルを複数有し、
第２計測時間内に検出される第２瞬断回数に基づいて、前記複数の判定テーブルの中から、前記電源状態を判定するための判定テーブルを選択することを特徴とする請求項３に記載の画像形成装置。
【請求項５】
前記処理手段は、前記判定手段が前記準安定状態又は前記不安定状態のいずれかと判定している場合に、前記画像情報を不揮発性の記憶媒体に退避することを特徴とする請求項１から４のいずれかに記載の画像形成装置。
【請求項６】
前記判定手段は、前記不安定状態を、第１の不安定状態と前記第１の不安定状態よりも不安定な状態である第２の不安定状態とに分けて判定し、
前記処理手段は、前記判定手段が前記第１の不安定状態と判定している場合に前記記録処理を低速で実行し、前記第２の不安定状態と判定している場合に前記記録処理を保留することを特徴とする請求項１から５のいずれかに記載の画像形成装置。
【請求項７】
前記処理手段は、前記判定手段が前記第２の不安定状態と判定している場合に、前記交流電源による前記画像形成手段への電力供給を停止することを特徴とする請求項６に記載の画像形成装置。
【請求項８】
前記画像情報は、シート状原稿から読み取られた画像情報であることを特徴とする請求項１から７のいずれかに記載の画像形成装置。
【請求項９】
前記画像情報は、外部から送信された画像情報であることを特徴とする請求項１から８のいずれかに記載の画像形成装置。
【発明の詳細な説明】
【技術分野】
【０００１】
本発明は、複写機、ファクシミリ、プリンタおよびこれらの複合機等のように交流電源の供給を受けて画像形成処理を行う画像形成装置に関する。
【背景技術】
【０００２】
複写機等の画像形成装置の多くは、該画像形成装置を設置する地域の商用電源を利用している。しかしながら、商用電源を利用する場合においても、落雷等の災害によって一時的に、又は火事や地震等の災害によって長期間に、不安定な電源環境になってしまうことも想定される。
【０００３】
このような不安定な電源環境に対応するために、特許文献１には、使用環境に応じた電源制御を行う電源制御装置が開示されている。具体的には、入力交流電源のゼロクロスパルスの幅が所定範囲未満の場合は電源ノイズによる異常と判断し、所定範囲以上の場合は電源瞬断による異常と判断する。そして、非ゼロクロスパルス幅とゼロクロスパルス幅を加算し周波数を求め、電源周波数計測期間に所定回数以上電源ノイズによる異常が検出された場合は、電源ノイズの多い使用環境と判断する。また、所定回数以上電源瞬断による異常が検出された場合は、電源瞬断の多い使用環境と判断する。
【０００４】
さらに、図１３に示す通り、該電源制御装置の電源環境判断を用いた画像形成装置の動作フローチャートが開示されている。ここで、動作モードのｍｏｄｅ０は、電源投入時のみで判断するモードである。ｍｏｄｅ１は、常時判断し、異常時はスピードダウンするモードである。ｍｏｄｅ２は、常時判断し、異常時は一時停止するモードである。
【０００５】
動作モードがｍｏｄｅ０で、エラーが存在する環境でも、非商用周波数であって動作保障範囲外の環境でもない場合（Ｓ２でＮＯである場合）は、通常の画像形成処理を行う。エラーが存在する環境、又は非商用周波数であって動作保障範囲外の環境である場合（Ｓ２でＹＥＳである場合）は、エラー時の最大位相角を設定し、スピードダウンして画像形成処理を行う。
【０００６】
動作モードがｍｏｄｅ１かｍｏｄｅ２であれば、電源環境をチェックする。エラーが存在する環境でなければ（Ｓ３でＮＯである場合）、通常の画像形成処理を行い、電源環境のチェックを繰り返す。エラーが存在する環境でｍｏｄｅ１であれば（Ｓ３でＹＥＳ、Ｓ４でＹＥＳである場合）、スピードダウンして画像形成処理を行い、電源環境のチェックを繰り返す。エラーが存在する環境でｍｏｄｅ２であれば（Ｓ３でＹＥＳ、Ｓ４でＮＯである場合）、電源状態が復帰するまで一時停止してエラー表示をし、電源環境のチェックを繰り返す。
【先行技術文献】
【特許文献】
【０００７】
【特許文献１】特開２００７−６４８９２号公報
【発明の概要】
【発明が解決しようとする課題】
【０００８】
特許文献１に記載される画像形成装置では、計測期間中に検出された電源ノイズの回数が所定の判定回数以上かどうかを判定することによって、電源環境をチェックしている。そして、電源環境が正常である場合には通常処理を、異常がある場合には該通常処理を制限する制限処理、具体的にはスピードダウンして画像形成する処理、又は画像形成処理を一時停止する処理を行っている。
【０００９】
このような通常処理状態から制限処理状態、又は制限処理状態から通常処理状態に、処理状態を変更するためには、所定の待機処理を行う必要がある。具体的には、画像形成処理の速度を変更しようとすると、コピー用紙を搬送する搬送速度も変更する必要がある。そして、画像形成処理中の搬送速度の変更は、画像形成処理の品質低下や紙詰まり等を引き起こす虞があるため、例えば搬送途中にある用紙の排出が全て完了するまで待機し、用紙排出完了後に搬送速度の変更を行っている。
【００１０】
このことから、特許文献１に記載される該画像形成装置において、所定の判定回数付近の電源ノイズ回数が頻繁に検出されるような電源環境で、例えば数百枚のコピーを行う等、一連の画像形成処理が完了するまでに時間を要するジョブを行ってしまうと、該ジョブが完了するまでの間に、処理状態を変更するための待機処理が繰り返し実行されてしまう可能性があった。
【００１１】
そして、このような待機処理が繰り返し実行されてしまうと、一連の画像形成処理が完了するまでにかかる時間が長くなってしまうという課題があった。
【００１２】
本発明は、このような課題に鑑みてなされたものであり、その目的は、通常の画像形成処理を行う通常処理状態から、画像形成処理を制限する制限処理を行う制限処理状態に変更するために実行される待機処理の頻度を軽減させることにある。
【課題を解決するための手段】
【００１３】
本発明の画像形成装置は、画像情報をシート状記録媒体に記録する画像形成手段と、画像形成手段による記録処理を実行する処理手段とを有し、交流電源からの電力供給によって稼働する画像形成装置であって、検出された交流電源の瞬断に基づいて、交流電源の電源状態が、安定状態、不安定状態、又は安定状態と不安定状態の中間状態である準安定状態のいずれかと判定する判定手段を有し、処理手段は、判定手段が安定状態又は準安定状態のいずれかと判定している場合に記録処理を実行し、判定手段が不安定状態と判定している場合に記録処理を制限する処理を実行することを特徴とする。
【００１４】
好ましくは、判定手段は、第１計測時間内に検出される瞬断回数に基づいて、安定状態、準安定状態、又は不安定状態のいずれかと判定することを特徴とする。
【００１５】
また好ましくは、判定手段は、瞬断回数が第１判定回数未満である場合に安定状態と判定し、瞬断回数が第１判定回数以上かつ第２判定回数未満である場合に準安定状態と判定し、瞬断回数が第２判定回数以上である場合に不安定状態と判定することを特徴とする。
【００１６】
さらに好ましくは、第１判定回数、及び第２判定回数を規定する判定テーブルを複数有し、第２計測時間内に検出される第２瞬断回数に基づいて、複数の判定テーブルの中から、電源状態を判定するための判定テーブルを選択することを特徴とする。
【００１７】
また好ましくは、処理手段は、判定手段が準安定状態又は不安定状態のいずれかと判定している場合に、画像情報を不揮発性の記憶媒体に退避することを特徴とする。
【００１８】
さらに好ましくは、判定手段は、不安定状態を、第１の不安定状態と第１の不安定状態よりも不安定な状態である第２の不安定状態とに分けて判定し、処理手段は、判定手段が第１の不安定状態と判定している場合に記録処理を低速で実行し、第２の不安定状態と判定している場合に記録処理を保留することを特徴とする。
【００１９】
またさらに好ましくは、処理手段は、判定手段が第２の不安定状態と判定している場合に、交流電源による画像形成手段への電力供給を停止することを特徴とする。
【００２０】
さらに好ましくは、画像情報は、シート状原稿から読み取られた画像情報であることを特徴とする。
【００２１】
またさらに好ましくは、画像情報は、外部から送信された画像情報であることを特徴とする。
【発明の効果】
【００２２】
本発明の画像形成装置では、安定状態と判定する限界付近の電源瞬断が頻繁に検出される電源環境においても、通常の画像形成処理を行う通常処理状態から、画像形成処理を制限する制限処理を行う制限処理状態に変更するために実行される待機処理の頻度を軽減させ、一連の画像形成処理が完了するまでにかかる時間を短縮することができる。
【図面の簡単な説明】
【００２３】
【図１】本発明の一実施形態である画像形成装置１のブロック図である。
【図２】交流電源９０の電圧波形とゼロクロス検出回路から出力されるゼロクロス信号波形を例示する波形図である。
【図３】判定ユニット５０で判定される電源環境と、各々の電源環境で処理される処理内容の関係を示す図である。
【図４】主処理部２００の処理手順を示すフローチャートである。
【図５】スリープ・復帰処理部２０５の処理手順を示すフローチャートである。
【図６】記録処理部２０６の処理手順を示すフローチャートである。
【図７】読取処理部２０７の処理手順を示すフローチャートである。
【図８】受信処理部２０８の処理手順を示すフローチャートである。
【図９】電源環境受信部２０９の処理手順を示すフローチャートである。
【図１０】第１判定テーブルＴＢ１、第２判定テーブルＴＢ２のデータ内容の関係を示す図である。
【図１１】テーブル選択部６００の処理手順を示すフローチャートである。
【図１２】電源環境判定部６０５の処理手順を示すフローチャートである。
【図１３】従来の画像形成装置の動作フローチャートである。
【発明を実施するための形態】
【００２４】
以下、図面を参照しつつ、本発明の実施の形態について説明する。なお、以下の処理内容の説明においては、「ステップ」を「Ｓ」で表し、各々の処理を数字で区別している。
【００２５】
図１は、本発明の一実施形態である画像形成装置１のブロック図を示し、本図面を用いて、画像形成装置１の構成について、以下に説明する。
【００２６】
図１は、本発明の一実施形態である画像形成装置１のブロック図を示している。画像形成装置１は、シート状原稿から読み取った画像をコピー紙等のシート状記録媒体に画像形成する複写機能などの各種画像形成機能を実現するための本体ユニット１０と、該本体ユニット１０に電力を供給する交流電源９０の電源瞬断を検出するための瞬断検出回路８０と、該瞬断検出回路８０で検出された電源瞬断の回数を計測することで交流電源９０の電源環境を判定する判定ユニット５０と、該判定ユニット５０で用いられる計時手段７０とから構成されている。さらに、画像形成装置１は、交流電源９０を変圧および整流・平滑して直流電源に変換するための回路などの不図示の電力供給回路を備えている。そして、該電力供給回路は、処理手段２０によって、画像読取手段４０及び画像形成手段４２に電力供給を行う状態、又は画像読取手段４０及び画像形成手段４２に電力供給することを停止する状態に切り換えることが可能になっている。
【００２７】
本体ユニット１０は、画像読取手段４０と、画像形成手段４２と、画像通信手段４４と、操作パネル３０と、第１記憶手段２５と、これら各部と信号を入出力する処理手段２０と、該処理手段２０で処理される情報を一時的に記憶するためのワークメモリ２２とから構成されている。
【００２８】
画像読取手段４０は、処理手段２０から出力される読取開始信号を受信して、原稿載置台に載置された原稿、又は搬送中の原稿の画像情報を読み取る画像読取処理を実行する。
【００２９】
ここで、該画像読取手段４０は、処理手段２０から出力される停止信号を受信し、画像読取処理を停止する。なお、画像読取処理中に停止信号を受信した場合、該画像読取処理を再開又は再処理するために必要な未処理情報を処理手段２０に信号出力する。また画像読取手段４０は、処理手段２０から出力される再開信号を受信し、該再開信号が出力される前に処理手段２０から受信した未処理情報に基づいて画像読取処理を再開する。
【００３０】
画像形成手段４２は、処理手段２０から信号出力される印刷情報を受信し、該印刷情報に基づくトナー画像を記録媒体に形成し、該トナー画像を溶融し定着させる電子写真方式の画像記録処理を実行する。
【００３１】
ここで、該画像形成手段４２は、処理手段２０から出力される停止信号を受信して、記録媒体に画像を形成するための画像記録処理を停止する。なお、画像記録処理中に停止信号を受信した場合、該画像記録処理を再開又は再処理するために必要な未処理情報を処理手段２０に出力する。また画像形成手段４２は、処理手段２０から出力される再開信号を受信し、該再開信号が出力される前に処理手段２０から受信した未処理情報に基づいて、画像記録処理を再開する。
【００３２】
さらに、画像形成手段４２は、所定の印刷速度で画像記録処理する通常印刷処理と、該通常印刷よりも単位時間当たりの電力消費を少なくして画像記録処理する低速印刷処理を行うことが可能に構成されている。そして該画像形成手段４２は、通常印刷処理又は低速印刷処理のいずれかを指定する速度変更信号を処理手段２０から受信し、該速度変更信号に基づいて通常印刷又は低速印刷を行うための処理を実行する。具体的には、処理手段２０から受信した速度変更信号に基づいて、記録媒体を搬送するための搬送ローラの回転速度を決定し、該搬送ローラを駆動させる処理などを実行する。
【００３３】
ここで、画像記録処理中に速度変更信号を受信した場合、一連の画像記録処理が完了するまで通常印刷又は低速印刷を行うための処理を待機する。具体的には、画像記録処理中に速度変更信号を受信すると、記録媒体を新たに給紙する処理を停止させ、搬送途中にある記録媒体に対して画像記録処理又は搬出処理を実行する。そして、該処理が完了した後に、速度変更信号に基づいて通常印刷又は低速印刷を行うための処理を実行する。
【００３４】
画像通信手段４４は、不図示の一般公衆回線又はＬＡＮ（Ｌｏｃａｌ  Ａｒｅａ  Ｎｅｔｗｏｒｋ）を介して、外部から送信されたファクシミリデータや画像情報を含む電子メールデータを受信する。
【００３５】
操作パネル３０は、画面を表示するための表示部３００と、利用者操作を受け付けるための入力部３０５から構成され、処理手段２０によって、画像形成装置１で実行可能な画像形成機能を表示部３００に表示し、入力部３０５によって利用者の選択操作又は実行操作を受け付ける処理が実行される。ここで、表示部３００には、例えば小型の液晶ディスプレイが用いられる。さらに、入力部３０５には、画像形成装置１の画像形成機能を選択し実行させるための操作ボタン等の物理ボタン、タッチ操作によって表示画面の任意の位置を指定することができるタッチパネルが用いられる。
【００３６】
第１記憶手段２５は、処理手段２０によって処理される各種情報が記憶されているハードディスク等に代表される不揮発性メモリである。該第１記憶手段２５には、画像情報を保管するスキャン機能を実現するために、画像読取手段４０で画像読取処理された画像情報が記憶される画像データ記憶域２５０を有している。さらに、該第１記憶手段２５には、画像形成手段４２に信号出力していない未処理の印刷情報をバックアップするための退避データ記憶域２５５を有している。
【００３７】
処理手段２０は、画像読取手段４０、画像形成手段４２、画像通信手段４４、操作パネル３０、及び第１記憶手段２５を制御するプログラムを読み出し実行するためのＣＰＵ（Ｃｅｎｔｒａｌ  Ｐｒｏｃｅｓｓｉｎｇ  Ｕｎｉｔ）で、主処理部２００、スリープ・復帰処理部２０５、記録処理部２０６、読取処理部２０７、受信処理部２０８、及び電源環境受信部２０９のプログラムを読み出し実行する。つまり、これらのソフトウェア各部は、処理手段２０の一部の手段として機能する。
【００３８】
ここで、主処理部２００は、画像形成装置１の電源投入がなされた際に実行が開始され、スリープ・復帰処理部２０５、記録処理部２０６、読取処理部２０７、受信処理部２０８、及び電源環境受信部２０９のソフトウェア各部の実行を制御する。また、スリープ・復帰処理部２０５は、画像読取手段４０及び画像形成手段４２の電力供給を停止するスリープ状態への移行処理、又はスリープ状態からの電源供給を再開して復帰させる復帰処理を実行する。さらに、記録処理部２０６は、画像形成手段４２に印刷情報を信号出力することによって、該画像形成手段４２による画像記録処理を実行させるための処理を実行する。読取処理部２０７は、画像読取手段４０に信号出力することによって、該画像読取手段４０による画像読取処理を実行させるための処理を実行する。受信処理部２０８は、画像通信手段４４を通じて外部から受信したファクシミリデータや電子メールデータなどに含まれる画像情報を、画像形成手段４２に信号出力するための印刷情報に設定するための処理を実行する。そして、電源環境受信部２０９は、判定ユニット５０で判定されている電源環境を、スリープ・復帰処理部２０５、記録処理部２０６、読取処理部２０７、及び受信処理部２０８のソフトウェア各部で参照することが可能にするための処理を実行する。
【００３９】
ワークメモリ２２は、処理手段２０に読み出され実行されるプログラムで処理される情報を一時的に記憶するために用いられるメモリで、例えば判定ユニット５０から信号出力される電源環境情報を格納するための変数ＰＳを含む各種変数の値を記憶する変数記憶域２２８を有している。さらに、ワークメモリ２２には、画像形成手段４２に信号出力する印刷情報を一時的に記憶する印刷データ記憶域２２０を有している。また、停止信号を出力することで、画像読取手段４０又は画像形成手段４２から受信した未処理情報を一時的に記憶する未処理データ記憶域２２１を有している。また、画像読取手段４０で画像読取処理された画像情報を一時的に記憶する読取データ記憶域２２５を有している。
【００４０】
判定ユニット５０は、第２記憶手段６５、第２処理手段６０、及び該第２処理手段６０で処理される情報を一時的に記憶するためのワークメモリ６２から構成されている。
【００４１】
第２記憶手段６５は、第２処理手段６０によって処理される情報が記憶されている不揮発性メモリで、該第２記憶手段６５には、電源環境を判定する際に参照される２種類の判定テーブルが記憶されている。
【００４２】
第２処理手段６０は、計時手段７０、瞬断検出回路８０、第２記憶手段６５、及びワークメモリ６２を制御するためのプロセッサで、テーブル選択部６００と電源環境判定部６０５から構成されている。
【００４３】
ここで、テーブル選択部６００は、第２記憶手段６５に記憶されている２種類の判定テーブルである第１判定テーブルＴＢ１又は第２判定テーブルＴＢ２から、電源環境を判定する際に参照される判定テーブルの選択処理を実行する。また、電源環境判定部６０５は、第１計測時間内に瞬断検出回路８０によって検出された電源瞬断の回数に基づいて、交流電源９０の電源状態が安定状態、不安定状態、又は準安定状態のいずれであるかを判定する。
【００４４】
また、ワークメモリ６２は、第２処理手段６０で処理される情報を一時的に記憶するために用いられるメモリであり、セレクタＳＴ、第１カウンタＣ１、及び第２カウンタＣ２から構成される。
【００４５】
計時手段７０は、第１計測時間を計時する第１計時部７００と、第２計測時間を計時する第２計時部７０５とから構成されている。ここで、判定ユニット５０のハードウェア各部と計時手段７０は、交流電源９０の電源環境を判定するためのものであることから、交流電源９０とは異なる電源からの電力供給によって駆動するように構成されている。例えば交流電源９０よって常時充電されている直流電源（不図示）からの電力供給によって駆動するように構成されている。
【００４６】
瞬断検出回路８０は、交流電源９０の電圧が所定周期でゼロ地点付近を通過しているかどうかを監視し、該周期で通過していない地点を検出した際、電源瞬断が発生したことを示す信号を第２処理手段６０に出力する。例えば、瞬断検出回路８０は、交流電圧９０の電圧が０または０に近い値となるタイミングにゼロクロス信号を生成し出力するゼロクロス検出回路を有している。そして、該ゼロクロス検出回路から出力されたゼロクロス信号が所定周期で発生していないと判定した際、電源瞬断が発生したことを示す信号を第２処理手段６０に出力する。
【００４７】
図２は、交流電源９０の電圧波形と、ゼロクロス検出回路から出力されるゼロクロス信号波形を例示している。ゼロクロス検出回路は、例えば、交流電源９０の電圧波形Ｅをダイオードブリッジ整流回路によって全波整流し、この出力電流によってフォトカプラの発光素子を適当な抵抗を通じて駆動する。そして、フォトカプラの受光素子からゼロクロス信号Ｖ０を生成させる。
【００４８】
図３は、判定ユニット５０で判定される電源環境と、各々の電源環境で処理される処理制限内容、又は処理内容を示す図である。
【００４９】
判定ユニット５０は、交流電源９０の電源環境が安定している状態にあると判定した場合には、安定状態ＮＭＳと判定する。そして、交流電源９０の電源環境が不安定な状態に遷移する予兆があると判定した場合には、準安定状態ＷＳ０と判定する。さらに、交流電源９０の電源環境が不安定な状態にあると判定した場合には、該不安定な状態の度合いに応じて、軽度ＷＳ１、中度ＷＳ２、又は重度ＷＳ３と判定する。
【００５０】
本体ユニット１０の処理手段２０は、判定ユニット５０で判定された電源環境が安定状態ＮＭＳと判定している場合には、予め規定された通常の画像記録処理を実行する。つまり、画像記録処理を制限する処理は行わない。
【００５１】
そして、判定ユニット５０で判定された電源環境が準安定状態ＷＳ０と判定している場合には、記録処理中の印刷情報を退避し、予め規定された通常の画像記録処理を実行する。つまり、画像記録処理を制限する処理は行わないが、記録処理中の画像記録処理の再開又は再処理ができるように印刷情報を不揮発性の記憶媒体にバックアップする。
【００５２】
また、判定ユニット５０で判定された電源環境が不安定状態の軽度ＷＳ１であると判定している場合には、記録処理中の印刷情報を退避するとともに、画像形成手段４２が低速印刷で画像記録処理を実行するための処理を実行する。ここで、低速印刷で画像記録処理を実行するための処理に代えて、カラー印刷で画像記録処理することが可能な画像形成手段に対し、白黒印刷で画像記録処理を実行するための処理としても構わない。つまり、軽度ＷＳ１であると判定している場合には、予め定められた通常印刷処理に対して、該通常印刷処理よりも単位時間当たりの電力消費を少なくして画像記録処理するための処理を実行する。
【００５３】
そして、判定ユニット５０で判定された電源環境が不安定状態の中度ＷＳ２であると判定している場合には、記録処理中の印刷情報を退避する処理のみを行う。したがって、画像形成手段４２による画像記録処理は保留される。
【００５４】
さらに、判定ユニット５０で判定された電源環境が不安定状態の重度ＷＳ３であると判定している場合には、記録処理中の印刷情報を退避するとともに、画像読取手段４０又は画像形成手段４２への電力供給を停止するための処理を実行する。したがって、画像形成手段４２による画像記録処理は保留される。
【００５５】
このように、本発明の画像形成装置１では、準安定状態ＷＳ０を判定している場合に予め定められた通常印刷処理を実行し、不安定状態を判定している場合に通常印刷処理を制限するための処理を実行している。このことから、安定状態ＮＭＳと準安定状態ＷＳ０との間を頻繁に遷移するような電源環境においても、通常印刷処理を実行する処理状態から、該通常印刷処理を制限する処理状態に変更するために実行される待機処理の頻度を軽減させ、画像記録処理が完了するまでにかかる時間を短縮することができる。
【００５６】
また、本発明の画像形成装置１では、準安定状態ＷＳ０又は不安定状態を判定している場合に不揮発性の記憶媒体に印刷情報を退避する処理を実行している。このことから、該準安定状態ＷＳ０又は不安定状態を経て、交流電源９０からの電力供給が停止した場合においても、記録処理中の画像記録処理の再開又は再処理が可能となる。
【００５７】
さらに、本発明の画像形成装置１では、不安定状態の判定において、該不安定状態の度合いに応じて、軽度ＷＳ１、中度ＷＳ２、又は重度ＷＳ３を判定している。そして、軽度ＷＳ１と判定している場合には、画像形成手段４２が低速印刷で画像記録処理を実行するための処理を行う。また、中度ＷＳ２と判定している場合には、画像形成手段４２による画像記録処理を保留する。さらに、重度ＷＳ３と判定している場合には、画像読取手段４０又は画像形成手段４２への電力供給を停止するための処理を行う。つまり、不安定状態であっても、該不安定状態の度合いに応じて、単位時間当たりの電力消費をより少なくして画像記録処理する状態に変更する処理を実行している。このことから、不安定状態に応じて、制限された画像記録処理を行う画像形成装置を実現することができる。
【００５８】
図４は、処理手段２０に読み出し実行される主処理部２００の処理内容を示し、以下に説明する。
【００５９】
先ず、操作パネル３０、画像読取手段４０、画像形成手段４２、画像通信手段４４、判定ユニット５０、計時手段７０、及び瞬断検出回路８０の画像形成装置１の各部に対する電源供給を開始し稼働させる初期化処理を実行する（Ｓ１００）。ここで、該初期化処理において、電源環境受信部２０９の実行を開始させるための処理、表示パネル３０の表示部３００に画像形成装置１で実行可能な画像形成機能の一覧を表示する処理も実行する。
【００６０】
Ｓ１００の処理に続いて、図５によって後述するスリープ・復帰処理部２０５を実行することによって、画像読取手段４０及び画像形成手段４２の電力供給を停止するスリープ状態への移行処理、又はスリープ状態からの電源供給を再開して復帰させる復帰処理を実行する（Ｓ１１０）。
【００６１】
Ｓ１１０の処理に続いて、図６によって後述する記録処理部２０６を実行することによって、印刷データ記憶域２２０に記憶されている印刷情報を画像形成手段４２に信号出力する画像記録処理を実行させるための処理を実行する（Ｓ１２０）。
【００６２】
Ｓ１２０の処理に続いて、画像形成装置１で実行可能な画像形成機能を実行させるための利用者の操作信号、又は外部からファクシミリデータ等の画像情報の受信が行われたことを示す受信信号が、操作パネル３０の入力部３０５または画像通信手段４４から出力されたかどうかを判定する（Ｓ１３０）。該判定において、入力部３０５又は画像通信手段４４からいずれの信号出力もなかったと判定した場合には、上述したＳ１１０に移行する。
【００６３】
Ｓ１３０の判定において、入力部３０５又は画像通信手段４４のいずれかから信号出力があったと判定した場合は、入力部３０５から利用者によってコピー機能の実行を示す操作信号が出力されたかどうかを判定する（Ｓ１５０）。該判定において、コピー機能の実行を示す操作信号と判定した場合には、図７によって後述する読取処理部２０７を実行することによって、画像読取手段４０による画像読取処理を実行させるための処理を実行する（Ｓ１５１）。そして、読取データ記憶域２２５に画像読取処理されたデータを印刷データ記憶域２２０に転送し、上述したＳ１１０に移行する。
【００６４】
Ｓ１５０の判定において、コピー機能の実行を示す操作信号でないと判定した場合には、入力部３０５から利用者によってプリント機能の実行を示す操作信号が出力されたかどうかを判定する（Ｓ１６０）。該判定において、プリント機能の実行を示す操作信号と判定した場合には、利用者によって指定された画像データ記憶域２５０に記憶されている画像情報を印刷データ記憶域２２０に転送し（Ｓ１６１）、上述したＳ１１０に移行する。
【００６５】
Ｓ１６０の判定において、プリント機能の実行を示す操作信号でないと判定した場合には、入力部３０５から利用者によってスキャン機能の実行を示す操作信号が出力されたかどうかを判定する（Ｓ１７０）。該判定において、スキャン機能の実行を示す操作信号が出力されたと判定した場合には、図７によって後述する読取処理部２０７を実行することによって、画像読取手段４０による画像読取処理を実行させるための処理を実行する（Ｓ１７１）。そして、読取データ記憶域２２５に画像読取処理されたデータが存在するかどうかを判定し（Ｓ１７２）、画像読取処理されたデータが存在すると判定した場合には、画像データ記憶域２５０に記憶する（Ｓ１７３）。さらに、Ｓ１７３の処理に続いて、又はＳ１７２の判定において画像読取処理されたデータが存在しないと判定した場合には、上述したＳ１１０に移行する。
【００６６】
Ｓ１７０の判定において、スキャン機能の実行を示す操作信号が出力されていないと判定した場合には、外部からファクシミリデータ等の画像情報の受信が行われたことを示す受信信号が出力されたものとして、図８によって後述する受信処理部２０８を実行することによって、画像通信手段４４を通じて外部から受信した画像情報を印刷情報に設定するための処理を実行し（Ｓ１８０）、上述したＳ１１０に移行する。
【００６７】
図５は、処理手段２０に読み出し実行されるスリープ・復帰処理部２０５の処理内容を示し、以下に説明する。
【００６８】
先ず、図９によって後述する電源環境受信部２０９によって格納される変数ＰＳ値が、不安定状態の重度ＷＳ３を示す値になっているかどうかを判定する（Ｓ２００）。
【００６９】
Ｓ２００の判定において、変数ＰＳ値が不安定状態の重度ＷＳ３を示す値になっていると判定した場合には、画像読取手段４０及び画像形成手段４２への電力供給が既に停止している停止中の状態になっているかどうかを判定し（Ｓ２１０）、停止中の状態と判定した場合には処理を終了する。また、該判定において、停止中の状態でないと判定した場合には、画像読取手段４０及び画像形成手段４２に停止信号を出力し（Ｓ２１１）、画像読取手段４０及び画像形成手段４２から信号出力される未処理情報を未処理データ記憶域２２１に記憶する（Ｓ２１２）。そして、画像読取手段４０及び画像形成手段４２の電力供給を停止させて（Ｓ２１３）、処理を終了する。
【００７０】
一方、Ｓ２００の判定において、変数ＰＳ値が不安定状態の重度ＷＳ３を示す値になっていないと判定した場合には、画像読取手段４０及び画像形成手段４２に電力供給がなされている稼働中の状態になっているかどうかを判定し（Ｓ２２０）、稼働中の状態と判定した場合には処理を終了する。また、該判定において、稼働中の状態でないと判定した場合には、画像読取手段４０及び画像形成手段４２への電力供給を再開させる（Ｓ２２１）。そして、画像読取手段４０及び画像形成手段４２に、未処理データ記憶域２２１に記憶されている未処理情報を信号出力し（Ｓ２２２）、画像読取手段４０及び画像形成手段４２に再開信号を出力して（Ｓ２２３）、処理を終了する。
【００７１】
図６は、処理手段２０に読み出し実行される記録処理部２０６の処理内容を示し、以下に説明する。
【００７２】
先ず、印刷データ記憶域２２０に印刷情報が記憶されているかどうかを判定し（Ｓ３００）、データが記憶されていないと判定した場合には処理を終了する。
【００７３】
Ｓ３００の判定において、印刷データ記憶域２２０に印刷情報が記憶されていると判定した場合には、変数ＰＳ値が不安定状態の重度ＷＳ３を示す値になっているかどうかを判定する（Ｓ３１０）。さらに、変数ＰＳ値が不安定状態の中度ＷＳ２を示す値になっているかどうかを判定する（Ｓ３１１）。
【００７４】
Ｓ３１０及びＳ３１１の判定において、重度ＷＳ３又は中度ＷＳ２のいずれかを示す値になっていると判定した場合には、退避処理を行っていない印刷情報が印刷データ記憶域２２０に記憶されているかどうかを判定し（Ｓ３１２）、退避処理を行っていない印刷情報が記憶されていないと判定した場合には処理を終了する。また、Ｓ３１２の判定において、退避処理を行っていない印刷情報が記憶されていると判定した場合には、該印刷情報を退避データ記憶域２５５にバックアップし（Ｓ３１３）、処理を終了する。ここで、Ｓ３１３における印刷データ記憶域２２０に記憶されている印刷情報のバックアップ処理に加えて、未処理データ記憶域２２１に記憶されている未処理情報を退避データ記憶域２５５にバックアップするものとしても構わない。
【００７５】
また、Ｓ３１０及びＳ３１１の判定において、変数ＰＳ値が重度ＷＳ３でも中度ＷＳ２でもない状態を示す値になっていると判定した場合には、変数ＰＳ値が不安定状態の軽度ＷＳ１を示す値になっているかどうかを判定する（Ｓ３２０）。該判定において、軽度ＷＳ１を示す値になっていない判定した場合には、通常の印刷速度で画像記録処理する速度変更信号を画像形成手段４２に出力し（Ｓ３２１）、変数ＰＳ値が準安定状態ＷＳ０を示す値になっているかどうかを判定する（Ｓ３３０）。そして、該判定において、変数ＰＳ値が準安定状態ＷＳ０を示す値になっていないと判定した場合には、印刷データ記憶域２２０に記憶されている印刷情報を画像形成手段４２に信号出力し、該印刷情報を印刷データ記憶域２２０から削除して（Ｓ３５１）、処理を終了する。
【００７６】
一方、Ｓ３２０の判定において、軽度ＷＳ１を示す値になっていると判定した場合には、通常の印刷速度より低速で画像記録処理する速度変更信号を画像形成手段４２に出力する（Ｓ３２２）。
【００７７】
Ｓ３３０の判定において、変数ＰＳ値が準安定状態ＷＳ０を示す値になっていると判定した場合、又はＳ３２２の処理に続いて、退避処理を行っていない印刷情報が印刷データ記憶域２２０に記憶されているかどうかを判定する（Ｓ３４０）。該判定において、退避処理を行っていない印刷情報が記憶されていると判定した場合には、該印刷情報を退避データ記憶域２５５にバックアップする（Ｓ３４１）。
【００７８】
Ｓ３４０の判定において、退避処理を行っていない印刷情報が記憶されていないと判定した場合、又はＳ３４１の処理に続いて、印刷データ記憶域２２０に記憶されている印刷情報を画像形成手段４２に信号出力し、該印刷情報を印刷データ記憶域２２０から削除して（Ｓ３５１）、処理を終了する。
【００７９】
図７は、処理手段２０に読み出し実行される読取処理部２０７の処理内容を示し、以下に説明する。
【００８０】
先ず、変数ＰＳ値が不安定状態の重度ＷＳ３を示す値になっているかどうかを判定し（Ｓ４００）、重度ＷＳ３を示す値になっていると判定した場合には、処理を終了する。
【００８１】
Ｓ４００の判定において、不安定状態の重度ＷＳ３を示す値になっていないと判定した場合には、画像読取手段４０に読取開始信号を出力し（Ｓ４０１）、画像読取手段４０で読み取られた画像情報を読取データ記憶域２２５に記憶して（Ｓ４０２）、処理を終了する。
【００８２】
図８は、処理手段２０に読み出し実行される受信処理部２０８の処理内容を示し、以下に説明する。
【００８３】
画像通信手段４４で受信した画像情報を印刷データ記憶域２２０に記憶し（Ｓ５００）、処理を終了する。
【００８４】
図９は、処理手段２０に読み出し実行される電源環境受信部２０９の処理内容を示し、以下に説明する。
【００８５】
先ず、判定ユニット５０からの信号出力の有無を判定し（Ｓ６００）、信号出力がなかった場合には、該処理を繰り返す。また、判定ユニット５０から信号出力が発生した場合、信号出力された電源環境情報を変数ＰＳに格納し（Ｓ６０１）、上述したＳ６００に移行する。
【００８６】
図１０は、第２記憶手段６５に記憶される判定テーブルのデータ内容を示し、該第２記憶手段６５には、図１０（Ａ）に示す第１判定テーブルＴＢ１と、図１０（Ｂ）に示す第２判定テーブルＴＢ２が記憶されている。なお、画像形成装置１では、第１計測時間を２０秒に規定した場合の判定テーブルを有するものとして記載しているが、該第１計測時間の値は、電源環境を判定するための第１判定テーブルＴＢ１又は第２判定テーブルＴＢ２に記憶されている瞬断検出回数の範囲の値と対応付けて規定される数値であって、必ずしも２０秒に規定されるものではない。
【００８７】
第１判定テーブルＴＢ１は、２０秒と規定する第１計測時間内に、瞬断検出回路８０によって検出される瞬断検出回数が０回から５回の範囲である場合に、電源環境を安定状態ＮＭＳと判定する情報ＩＮＦ１１が記憶されている。
【００８８】
そして、第１計測時間内に、瞬断検出回路８０によって検出される瞬断検出回数が６回から１０回の範囲である場合に、電源環境を準安定状態ＷＳ０と判定する情報ＩＮＦ１２が記憶されている。
【００８９】
そして、第１計測時間内に、瞬断検出回路８０によって検出される瞬断検出回数が１１回から１５回の範囲である場合に、電源環境を不安定状態の軽度ＷＳ１であると判定する情報ＩＮＦ１３が記憶されている。
【００９０】
そして、第１計測時間内に、瞬断検出回路８０によって検出される瞬断検出回数が１６回から２０回の範囲である場合に、電源環境を不安定状態の中度ＷＳ２であると判定する情報ＩＮＦ１４が記憶されている。
【００９１】
そして、第１計測時間内に、瞬断検出回路８０によって検出される瞬断検出回数が２１回以上である場合に、電源環境を不安定状態の重度ＷＳ３であると判定する情報ＩＮＦ１５が記憶されている。
【００９２】
また、第２判定テーブルＴＢ２は、第１計測時間内に、瞬断検出回路８０によって検出される瞬断検出回数が０回である場合に、電源環境を安定状態ＮＭＳと判定する情報ＩＮＦ２１が記憶されている。
【００９３】
そして、第１計測時間内に、瞬断検出回路８０によって検出される瞬断検出回数が１回から５回の範囲である場合に、電源環境を準安定状態ＷＳ０と判定する情報ＩＮＦ２２が記憶されている。
【００９４】
そして、第１計測時間内に、瞬断検出回路８０によって検出される瞬断検出回数が６回から１０回の範囲である場合に、電源環境を不安定状態の軽度ＷＳ１であると判定する情報ＩＮＦ２３が記憶されている。
【００９５】
そして、第１計測時間内に、瞬断検出回路８０によって検出される瞬断検出回数が１１回から１５回の範囲である場合に、電源環境を不安定状態の中度ＷＳ２であると判定する情報ＩＮＦ２４が記憶されている。
【００９６】
そして、第１計測時間内に、瞬断検出回路８０によって検出される瞬断検出回数が１６回以上である場合に、電源環境を不安定状態の重度ＷＳ３であると判定する情報ＩＮＦ２５が記憶されている。
【００９７】
したがって、第２判定テーブルＴＢ２は、第１判定テーブルＴＢ１との比較において、数少ない電源瞬断が検出された場合でも、より不安定な電源環境であると判定されるように構成されている。つまり、通常時は第１判定テーブルＴＢ１を用いて電源環境を判定する。そして、第１判定テーブルＴＢ１では安定状態ＮＭＳと判定される程度の数少ない電源瞬断が長期間継続するような不安定な電源環境を検出した場合、又は電力供給不足に陥る虞がある季節又は時間帯では、第２判定テーブルＴＢ２を用いて電源環境を判定することが可能に構成されている。
【００９８】
このように、本発明の画像形成装置１では、該装置を使用する環境の変化に適応して電源環境を判定することができるように、複数の判定テーブルを有している。
【００９９】
図１１は、第２処理手段６０のテーブル選択部６００の処理内容を示し、以下に説明する。
【０１００】
先ず、テーブル選択部６００用のカウンタＣ２を初期化し（Ｓ８００）、第２計時部７０５による計時を開始させる（Ｓ８０１）。
【０１０１】
Ｓ８０１に処理に続いて、Ｓ８０１によって計時を開始してから、テーブル選択部６００用に予め定められている第２計測時間を経過したかどうかを、第２計時部７０５を通じて判定する（Ｓ８１０）。ここで、第２計測時間は、上述した第１計測時間よりも長い時間、例えば１分が規定されている。
【０１０２】
Ｓ８１０の判定において、第２計測時間を経過していないと判定した場合には、瞬断検出回路８０によって交流電源９０の電源瞬断を検出したかどうかを判定し（Ｓ８２０）、該判定において、電源瞬断を検出していないと判定した場合には、上述したＳ８１０に移行する。また、Ｓ８２０の判定において、電源瞬断を検出していると判定した場合には、カウンタＣ２をインクリメントして（Ｓ８２１）、上述したＳ８１０に移行する。
【０１０３】
一方、Ｓ８１０の判定において、第２計測時間を経過したと判定した場合には、カウンタＣ２の値が、テーブル選択部６００用に予め定められている規定値より多いかどうかを判定し（Ｓ８５１）、該判定において、規定値以下であると判定した場合には、セレクタＳＴを第１テーブルＴＢＬ１に設定し（Ｓ８５２）、上述したＳ８００に移行する。また、Ｓ８５１の判定において、規定値より多いと判定した場合には、セレクタＳＴを第２テーブルＴＢＬ２に設定し（Ｓ８５３）、上述したＳ８００に移行する。
【０１０４】
したがって、第２計測時間内に発生する瞬断検出回数が規定値以下である場合には第１テーブルＴＢＬ１、規定値より多い場合には第２テーブルＴＢＬ２が選択される。なお、該規定値は、第１テーブルＴＢＬ１で安定状態ＮＭＳと判定される瞬断検出回数の最大値である５回よりも大きな値が規定されることが望ましい。さらに、第２計測時間を、例えば１分と規定した場合、第１計測時間である２０秒に対して３倍の周期で計測され判定が行われることになる。このことから、該規定値は、第１テーブルＴＢＬ１で安定状態ＮＭＳと判定される瞬断検出回数の最大値である５回に３を乗じた１５回よりも小さい値が規定されることが望ましい。
【０１０５】
ここで、テーブル選択部６００において、第２計測時間内に発生した瞬断検出回数に基づいて判定テーブルを選択しているが、例えば電力消費が多い季節又は時間帯に基づいて判定テーブルを選択するものとしても構わない。
【０１０６】
このように、本発明の画像形成装置１では、第２計測時間内に瞬断検出回路８０によって検出される瞬断回数に基づいて、第１テーブルＴＢＬ１又は第２テーブルＴＢＬ２のいずれかを選択している。このことから、例えば、第１判定テーブルＴＢ１では安定状態ＮＭＳと判定される程度の数少ない電源瞬断が長期間継続するような場合、第２判定テーブルＴＢ２を用いて適切な電源環境を判定することができる。なお、ここでは判定テーブルが２つである場合を例示しているが、３つ以上の判定テーブルを有し、瞬断検出回路８０によって検出される瞬断回数に基づいて、何れかの判定テーブルを選択するように構成しても構わない。
【０１０７】
図１２は、第２処理手段６０の電源環境判定部６０５の処理内容を示し、以下に説明する。
【０１０８】
先ず、テーブル選択部６００用のカウンタＣ１を初期化し（Ｓ９００）、第１計時部７００による計時を開始させる（Ｓ９０１）。
【０１０９】
Ｓ９０１に処理に続いて、Ｓ９０１によって計時を開始してから、電源環境判定部６０５用に２０秒と規定された第１計測時間を経過したかどうかを、第１計時部７００を通じて判定する（Ｓ９１０）。
【０１１０】
Ｓ９１０の判定において、第１計測時間を経過していないと判定した場合には、瞬断検出回路８０によって交流電源９０の電源瞬断を検出したかどうかを判定し（Ｓ９２０）、該判定において、電源瞬断を検出していないと判定した場合には、上述したＳ９１０に移行する。また、Ｓ９２０の判定において、電源瞬断を検出していると判定した場合には、カウンタＣ１をインクリメントして（Ｓ９２１）、上述したＳ９１０に移行する。
【０１１１】
一方、Ｓ９１０の判定において、第１計測時間を経過したと判定した場合には、セレクタＳＴに設定されている判定テーブルに基づいて、カウンタＣ１値に応じた電源環境を判定し、判定した電源環境を電源環境受信部２０９に信号出力して（Ｓ９３０）、上述したＳ９００に移行する。
【０１１２】
このように、本発明の画像形成装置１では、安定状態と判定する限界付近の電源瞬断が頻繁に検出される電源環境においても、通常の画像形成処理を行う通常処理状態から、画像形成処理を制限する制限処理を行う制限処理状態に変更するために実行される待機処理の頻度を軽減させ、一連の画像形成処理が完了するまでにかかる時間を短縮することができる。
【０１１３】
ここで、本実施の形態に係る画像形成装置に読み出される、上述した図４〜図９に従う各々の制御プログラムは、本実施の形態に係る画像形成装置に付属する記憶媒体に予め記憶させて、プログラム製品として提供することもできる。このような記憶媒体としては、ＣＤ（Ｃｏｍｐａｃｔ  Ｄｉｓｃ）やメモリカードなどのそれぞれの画像形成装置で読取り可能な記憶媒体がある。あるいは、本実施の形態に係る画像形成装置に内蔵するハードディスクなどの記憶媒体に記憶させて提供することもできる。さらに、インターネットを含む各種ネットワークを介するダウンロードによって提供することもできる。
【０１１４】
なお、オペレーティングシステムの一部として様々なプログラムモジュールを用意しておき、各々の制御プログラムは、これらモジュールを必要なときに呼び出して処理を進める方式が一般的である。このような場合、本実施の形態に係る画像形成装置を実現するための各々の制御プログラム自体には、これらモジュールは含まれず、オペレーティングシステムと協働して実現されることになる。しかし、一般的なオペレーティングシステムを使用する限り、これらモジュールを含ませた各々の制御プログラムを流通させる必要はなく、これらモジュールを含まない各々の制御プログラム自体およびそれら各々の制御プログラムを記憶した記憶媒体（およびそれら各々の制御プログラムがネットワーク上を流通する場合のデータ信号）が実施の形態を構成すると考えることができる。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１６】
１  画像形成装置
１０  本体ユニット
２０  処理手段
２００  主処理部
２０５  スリープ・復帰処理部
２０６  記録処理部
２０７  読取処理部
２０８  受信処理部
２０９  電源環境受信部
２２  ワークメモリ（処理手段用）
２２０  印刷データ記憶域
２２１  未処理データ記憶域
２２５  読取データ記憶域
２２８  変数記憶域
２５  第１記憶手段
２５０  画像データ記憶域
２５５  退避データ記憶域
３０  操作パネル
３００  表示部
３０５  入力部
４０  画像読取手段
４２  画像形成手段
４４  画像通信手段
５０  判定ユニット
６０  第２処理手段
６００  テーブル選択部
６０５  電源環境判定部
６２  ワークメモリ（第２処理手段用）
６５  第２記憶手段
７０  計時手段
７００  第１計時部
７０５  第２計時部
８０  瞬断検出回路
９０  交流電源
【図１】
2013160866.tif 000003
【図２】
2013160866.tif 000004
【図３】
2013160866.tif 000005
【図４】
2013160866.tif 000006
【図５】
2013160866.tif 000007
【図６】
2013160866.tif 000008
【図７】
2013160866.tif 000009
【図８】
2013160866.tif 000010
【図９】
2013160866.tif 000011
【図１０】
2013160866.tif 000012
【図１１】
2013160866.tif 000013
【図１２】
2013160866.tif 000014
【図１３】
2013160866.tif 000015